(57)【特許請求の範囲】
【請求項１】
上下に設置された複数の棚板間に、その下方に配設された平坦状の苗箱へ向けて、同苗箱の全面が略同一の照度となるよう照光する面状の照光部を有する照明装置を設け、同照光部を、苗箱に設けられる苗の上部との間隔が略１０ｃｍとなるよう位置させて、発光のパターンがその中央部から周辺部にかけて同心状に高輝度となるようなした植物苗保存棚であって、苗箱を四角状とし、照光部を、同苗箱と略同一の四角平面形状をもって形成し、その平面の一対向辺にそれぞれ線状の光源を配設させるとともに、その光源間に照光面の発光の輝度比を所定の割合値とする同心状パターンの拡散反射部をもつ導光板を設けたことを特徴とする植物苗保存棚。
【請求項２】
上下に設置された複数の棚板間に、その下方に配設された平坦状の苗箱へ向けて、同苗箱の全面が略同一の照度となるよう照光する面状の照光部を有する照明装置を設け、同照光部を、苗箱に設けられる苗の上部との間隔が略１０ｃｍとなるよう位置させて、発光のパターンがその中央部から周辺部にかけて同心状に高輝度となるようなした植物苗保存棚であって、苗箱を四角状とし、照光部を、同苗箱と略同一の四角平面形状をもって形成し、その平面の一対向辺より内側にそれぞれ線状の光源を配設させるとともに、その光源の、後部に断面略Ｍ字状の反射板、前部には照光面の発光の輝度比を所定の割合値とする同心状パターンの遮光部をもつ透光カバーを設けたことを特徴とする植物苗保存棚。
【請求項３】
苗箱に設けられる苗の上部位置の照度が、５０〜２０００ルクスの間の所定の照度値であることを特徴とする請求項１又は２のいずれか一つの請求項記載の植物苗保存棚。
【請求項４】
苗箱に設けられる苗の上部位置の照度を、５０〜２０００ルクスの間の所望の照度値とする照度調節部を設けたことを特徴とする請求項１又は２のいずれか一つの請求項記載の植物苗保存棚。
【発明の詳細な説明】
【０００１】
【発明の属する技術分野】
本発明は、野菜や花卉などの植物苗を低温環境下にて貯蔵する際に適した照明装置を備えた植物苗保存棚に関するものである。
【０００２】
【従来の技術】
従来から、多くの場合、植物苗の貯蔵は低温暗黒下にて行われてきた。しかし、保存期間が長くなるにつれて、苗の徒長、黄化等によって苗質の低下することが問題となっっており、長期間にわたる貯蔵は困難とされていた。近年、低温下にて適当な強度の光を苗に照射することによって、苗の徒長、あるいは黄化を防ぐことができて、苗質を低下させることなく、より長い期間にわたって貯蔵できることが明らかになってきている。
【０００３】
一方、植物苗の保存用として、特開昭６３−１８５３１７として開示されている、支持体と、この支持体に支持されて照明装置が設けられた植物等の培養用の棚と、前記照明装置の照度を予め設定された値に制御する調光装置とを備えた照明装置が提案されている。このものは、培養植物の成長度にあわせて照度の設定が容易にできて排熱が良好であり、電力費を低減可能な植物の培養棚に使用するに適したものである。
【０００４】
【発明が解決しようとする課題】
しかしながら、上記従来の技術のものにおいては、光の強度の調節を誤って、強くしたときには苗が生育し、また、弱すぎたときには暗黒下と同様に徒長、黄化することとなる。
【０００５】
ところで、最近の詳しい研究によると、貯蔵時において苗に照射する光の強度は、光補償点の条件が適切であることが明らかになってきている。この光補償点とは、植物の光合成における、二酸化炭素の吸収と呼吸による二酸化炭素の排出とがつりあって、見かけ上の空気中の二酸化炭素濃度の増減がゼロとなる点である（参考文献：Ａｃｔａ  Ｈｏｒｔｉｃｕｌｔｕｒａｅ  Ｎｏ．３９３，Ｍａｒｃｈ、１９９５  久保田、古在ら）。
【０００６】
また、さらに参考文献として、「農業および園芸」（第７２巻  第６号  １９９７  小澤）には、白熱灯を照射距離５０ｃｍで点灯させ、被照射面の照度を均一化させるとともに白熱灯の熱による葉焼けの防止を図ったもの、あるいは、「生物環境調節  ３４（２）」（１３５〜１３９  １９９６  久保田、古在ら）には、蛍光灯を近接照射させて空間の利用効率向上を図ったものが紹介されている。
【０００７】
一般に、苗の貯蔵は、低温環境下の空間の利用効率を向上させるために多段式貯苗棚を用いることが望ましい。しかし、上記の前者のものは空間の利用効率が悪く、あるいは後者のものは照度の均一化が図れないという問題があった。すなわち、照度が不均一な場合、貯蔵される苗が生育することもあって、苗高さ、苗質に影響を及ぼすことがあり、厳密に光補償点に調節しないときには、生育あるいは枯れが生ずることとなって苗質の維持ができないという問題があった。
【０００８】
本発明は、上記事由に鑑みてなしたもので、その目的とするところは、苗貯蔵における空間の利用効率を向上させるとともに苗質の維持が可能な植物苗保存棚を提供することにある。
【０００９】
【課題を解決するための手段】
上記目的を達成するために、本発明の植物苗保存棚にあっては、上下に設置された複数の棚板間に、その下方に配設された平坦状の苗箱へ向けて、同苗箱の全面が略同一の照度となるよう照光する面状の照光部を有する照明装置を設けてなることを特徴としている。
【００１０】
この構成により、上下の複数の棚板間の下方に配設される平坦状の苗箱が、その上方に設置された照明装置の面状の照光部から、同苗箱の全面が略同一の照度となるよう照光される。
【００１１】
そして、上記照光部を、苗箱に設けられる苗の上部との間隔が略１０ｃｍとなるよう位置させて、発光のパターンがその中央部から周辺部にかけて同心状に高輝度とすることが好ましい。
【００１２】
この場合、苗箱内全面の苗は、その上部から上方略１０ｃｍの位置に設置された照明装置の、発光のパターンをその中央部から周辺部にかけて同心状に高輝度とした面状の照光部から、その全面が略同一の照度となるよう照光される。
【００１３】
また、上記苗箱を四角状とし、照光部を、同苗箱と略同一の四角平面形状をもって形成し、その平面の一対向辺にそれぞれ線状の光源を配設させるとともに、その光源間に照光面の発光の輝度比を所定の割合値とする同心状パターンの拡散反射部をもつ導光板を設けるのが好ましい。
【００１４】
この場合、照光部は、四角状の苗箱と略同一の四角平面形状をもって、同平面の一対向辺にそれぞれ線状の光源が配設され、その光源間に照光面の発光の輝度比を所定の割合値とする同心状パターンの拡散反射部をもつ導光板が設けられて面状に形成される。
【００１５】
また、上記苗箱を四角状とし、照光部を、同苗箱と略同一の四角平面形状をもって形成し、その平面の一対向辺より内側にそれぞれ線状の光源を配設させるとともに、その光源の、後部に断面略Ｍ字状の反射板、前部には照光面の発光の輝度比を所定の割合値とする同心状パターンの遮光部をもつ透光カバーを設けるのも好ましい。
【００１６】
この場合、照光部は、四角状の苗箱と略同一の四角平面形状をもって、同平面の一対向辺より内側にそれぞれ線状の光源が配設され、その光源の、後部に断面略Ｍ字状の反射板、前部には照光面の発光の輝度比を所定の割合値とする同心状パターンの遮光部をもつ透光カバーが設けられて面状に形成される。
【００１７】
また、上記苗箱に設けられる苗の上部位置の照度が、５０〜２０００ルクスの間の所定の照度値であることが好ましい。
【００１８】
この場合、上下の複数の棚板間の下方に配設される平坦状の苗箱が、その上方に設置された照明装置の面状の照光部から、同苗箱の全面の苗の上部位置の照度が、５０〜２０００ルクスの間の所定の照度値となるよう照光される。
【００１９】
また、上記苗箱に設けられる苗の上部位置の照度を、５０〜２０００ルクスの間の所望の照度値とする照度調節部を設けるのが好ましい。
【００２０】
この場合、上下の複数の棚板間の下方に配設される平坦状の苗箱が、その上方に設置された照明装置に設けられる照度調節部にて、その面状の照光部から同苗箱の全面の苗の上部位置の照度が、５０〜２０００ルクスの間の所望の照度値となるよう調節し照光できる。
【００２１】
【発明の実施の形態】
図１乃至図４は、本発明の請求項１及び３に対応する第１の実施の形態を示し、図５、６は、本発明の請求項２及び４に対応する第２の実施の形態を示している。
【００２２】
［第１の実施の形態］
図１は、第１の実施の形態の植物苗保存棚を示す概略構成図である。図２は、同植物苗保存棚の照明装置を示す図で、（ａ）は平面図、（ｂ）は側面断面図である。図３は、同植物苗保存棚の照明装置の照光部の説明図である。図４は、同植物苗保存棚の照明装置の比較説明のための従来例の照光部の説明図である。
【００２３】
この実施の形態の植物苗保存棚１は、上下に設置された複数の棚板２，２間に、その下方に配設された平坦状の苗箱３へ向けて、同苗箱３の全面が略同一の照度となるよう照光する面状の照光部５を有する照明装置４を設けてなる。
【００２４】
又、該実施の形態の植物苗保存棚１においては、照光部５を、苗箱３に設けられる苗３１の上部との間隔が略１０ｃｍとなるよう位置させて、発光のパターンがその中央部から周辺部にかけて同心状に高輝度となるようなしてもいる。又、該実施の形態の植物苗保存棚１においては、苗箱３を四角状とし、照光部５を、同苗箱３と略同一の四角平面形状をもって形成し、その平面の一対向辺にそれぞれ線状の光源６，６を配設させるとともに、その光源６，６間に照光面の発光の輝度比を所定の割合値とする同心状パターンの拡散反射部８をもつ導光板７を設けてもいる。又、該実施の形態の植物苗保存棚１においては、苗箱３に設けられる苗３１の上部位置の照度を、５０〜２０００ルクスの間の所定の照度値としてもいる。
【００２５】
詳しくは、この植物苗保存棚１は、野菜や花卉などの植物苗を、低温環境下にて徒長、黄化等させることなく光補償点を維持させ貯蔵するためのものであり、複数の棚板２が上下に多段に設置され、その棚板２，２間に苗箱３及び照明装置４が配設されて形成されている。
【００２６】
苗箱３は、この場合四角状で、棚板２の上面に前後等にスライドさせて出し入れ自在に設けられている。この棚板２の下面には、後述する照明装置４が苗箱３内に設けられる苗３１の上部間との距離が略１０ｃｍとなるように取着されている。この苗箱３は、この場合、苗３１の苗高さが２０ｃｍ以下の定植前の幼少苗を想定して設けられるが、棚板２を支持させる支持具２１を、苗３１の高さに合わせて両側の支柱１４に調節自在となるよう取着させ支持させても良い。
【００２７】
この照明装置４は、照光部５となる下面蓋５１の設けられる、一面開口の薄型直方体状の箱体４１の開口部が下面となるよう上記棚板２の下面に取着され、この箱体４１内に、光源６と、導光板７と、点灯制御部となるインバータ部９とが設けられて形成されている。下面蓋５１は、その全面にわたって照光部５となるように、透明あるいは乳白色の透光性のアクリル樹脂板にて形成されている。
【００２８】
光源６は、この場合、線状の冷陰極管にて形成されて、２本づつを連設し対向させて、上記箱体４１の長辺側底部に配設されている。したがって、苗箱に設けられる苗には熱が加わることが無く、低温環境下にて容易に光補償点に維持させやすい。この光源６には、断面略コ字状の長尺のリフレクタ６１が、その開口を内側に向くようにその周囲に設けられており、箱体４１の側部に設けられているインバータ部９にてその点灯が制御され、後述する導光板７へ向けて光源６から発せられる光が導かれ、後述するように最大２０００ルクスを達成するようになっている。
【００２９】
導光板７は、光源６から発せられる光を下面蓋５１へ向けて導くためのもので、アクリル樹脂板にて形成され、その背面側に拡散反射部８が構成されている。この拡散反射部８は、光源６から発せられる光が下面蓋５１の発光の輝度比を所定の割合値とするためのもので、この場合、図３（ａ）に示すように、下面蓋５１の中央部から周辺部にかけて６０％、７０％、８５％、１００％と順に同心状に高輝度となるよう導光板７の裏面にパターン印刷された印刷面７１と、この印刷面７１に密接させ配設される拡散反射シート８１とにて構成されており、５０〜２０００ルクスの範囲で且つ略同一の照度となるようにパターン印刷を設定している。その結果、このものにおいては、下面蓋５１の１０ｃｍ下方の苗箱の四角状の範囲における、照度の変動を照度の最小値と最大値との比において０．９以上と良好に維持することができる。なお、拡散反射シート８１に直接遮光パターンを印刷して、所望の照度とするような拡散反射シート８１を入れ替え自在としても良い。上記の如く、５０〜２０００ルクスの範囲で且つ略同一の照度とすることにて、各種の野菜や花卉などの植物苗を、低温環境下にて光補償点を維持させて貯蔵することができで、より多くの種類の苗の保存に適用できる。
【００３０】
なお、従来の技術の項にて説明した図４（ａ）に示す構成の２０Ｗの直管形蛍光灯を１灯用いた光源Ａによる照明装置の下面の１０ｃｍ下方の苗箱の四角状の範囲における照度の変動は、図４（ｂ）に示すような同心状に明るい部分と暗い部分とをもって照度の最小値と最大値との比において０．３以下の照度の構成であり、このものに比べて上記のものは、苗箱の全面を略同一の照度とすることができる。
【００３１】
上記の植物苗保存棚１においては、上下の複数の棚板２，２間の下方に配設される平坦状の苗箱３の略全面にわたって各種の野菜や花卉などの苗３１が配置される。そして、苗３１の上方に設置された照明装置４の面状の照光部５から、同苗箱３の全面が５０〜２０００ルクスの範囲の略同一の所望の照度となるよう照光し、低温環境下にて光補償点を維持させて貯蔵させる。
【００３２】
このとき、苗箱３内全面の苗３１を、その上部から上方略１０ｃｍの位置に設置された照明装置４の、発光のパターンをその中央部から周辺部にかけて同心状に高輝度とした面状の照光部５から、その全面が略同一の照度となるよう照光し、狭い空間により多くの苗を保存することができる。また、照明装置４の照光部５が、四角状の苗箱３と略同一の四角平面形状をもって、同平面の一対向辺にそれぞれ線状の光源６を配設させ、その光源６，６間に照光部５の照光面の発光の輝度比を所定の割合値とする同心状パターンの拡散反射部をもつ導光板７を設けて面状に形成されて、より薄型に照明装置４が構成されることによってより狭い空間に多くの苗を保存させることができる。
【００３３】
したがって、以上説明した植物苗保存棚１によると、上下の複数の棚板２，２間の下方に配設される平坦状の苗箱３が、その上方に設置された照明装置４の面状の照光部５から、同苗箱３の全面が略同一の照度となるよう照光されるので、苗貯蔵における空間の利用効率を向上させることができて、苗質を良好に維持させることが出来る。
【００３４】
そして、苗箱３内全面の苗３１は、その上部から上方略１０ｃｍの位置に設置された照明装置４の、発光のパターンをその中央部から周辺部にかけて同心状に高輝度とした面状の照光部５から、その全面が略同一の照度となるよう照光されるので、狭い空間により多くの苗を保存することができる。また、照光部５は、四角状の苗箱３と略同一の四角平面形状をもって、同平面の一対向辺にそれぞれ線状の光源６が配設され、その光源６，６間に照光面の発光の輝度比を所定の割合値とする同心状パターンの拡散反射部８をもつ導光板７が設けられて面状に形成されるので、より薄型に照明装置４が構成されることによってより狭い空間に多くの苗３１を保存させることができ、しかも、上下の複数の棚板２，２間の下方に配設される平坦状の苗箱が、その上方に設置された照明装置の面状の照光部から、同苗箱３の全面の苗の上部位置の照度が、５０〜２０００ルクスの間の所定の照度値となるよう照光されるされるので、各種の野菜や花卉などの植物苗を、低温環境下にて光補償点を維持させて貯蔵することができで、より多くの種類の苗の保存に適用できて使い勝手は良好である。
【００３５】
［第２の実施の形態］
図５は、第２の実施の形態の植物苗保存棚の照明装置を示す図で、（ａ）は平面図、（ｂ）は側面断面図である。図６は、同植物苗保存棚の照明装置の照光部の説明図である。
【００３６】
この実施の形態の植物苗保存棚は、照明装置４の構成のみが第１の実施の形態と異なるもので、他の構成部材は第１の実施の形態のものと同一で、該実施の形態の植物苗保存棚１は、苗箱３を四角状とし、照光部５を、同苗箱と略同一の四角平面形状をもって形成し、その平面の一対向辺より内側にそれぞれ線状の光源６，６を配設させるとともに、その光源６，６の、後部に断面略Ｍ字状の反射板１０、前部には照光面の発光の輝度比を所定の割合値とする同心状パターンの遮光部１２をもつ透光カバー１１を設けている。
【００３７】
又、該実施の形態の植物苗保存棚は、苗箱３に設けられる苗３１の上部位置の照度を、５０〜２０００ルクスの間の所望の照度値とする照度調節部１３を設けてもいる。
【００３８】
この植物苗保存棚１の照明装置４は、図５に示すような、照光部５となる透光カバー１１の設けられる、一面開口の薄型直方体状の箱体４２の開口部が下面となるよう前述の棚板２の下面に取着され、この箱体４２内に、その底部の一対向辺より内側にそれぞれ線状の光源６，６と、点灯制御部となるインバータ部９とが設けられて形成されている。上記光源６，６の背面となる後部には、白色に着色された鋼板製で断面略Ｍ字状に折曲された反射板１０が、インバータ部９を隠蔽し、また、後述する並設された光源６どうしの光が干渉しあわないよう分離するようにして配設されている。
【００３９】
光源６は、この場合、線状の冷陰極管にて形成されて、２本づつを連設されて箱体４２の長辺側底部に沿設されている。したがって、苗箱３に設けられる苗３１には熱が加わることが無く、低温環境下にて容易に光補償点に維持させやすい。この光源６は、箱体４２底部に設けられているインバータ部９にてその点灯が制御され、４本が一括して照度調節部１３にて調光比５〜１００％となるように調光される。そして、後述する透光カバー１１表面の発光のパターンがその中央部から周辺部にかけて同心状に高輝度となっており、各種の野菜や花卉などの植物苗を、容易に多くの種類の苗の保存に適用させて低温環境下にて光補償点を維持させて貯蔵することができるように、苗箱３に設けられる苗３１の上部位置の照度を５０〜２０００ルクスの間の所望の照度値に調節可能となっている。
【００４０】
透光カバー１１は、アクリル樹脂板にて形成され、その背面側に、図６に示す如く微細ドットが印刷され同透光カバー１１の表面の発光のパターンを中央部から周辺部にかけて同心状に高輝度となるよう遮光する遮光部１２が設けられて構成されている。
【００４１】
上記の植物苗保存棚１においては、上下の複数の棚板２，２間の下方に配設された平坦状の苗箱３の略全面にわたって配置される各種の野菜や花卉などの苗３１に、四角状の苗箱３と略同一の四角平面形状をもって、同平面の一対向辺より内側にそれぞれ線状の光源６，６が配設され、その光源６の、後部に断面略Ｍ字状の反射板１０、前部に照光面の発光の輝度比を所定の割合値とする同心状パターンの遮光部１２をもつ透光カバー１１の設けられた、より簡単な構成による安価な照明装置４の面状形成された照光部５から、該苗箱３の全面が５０〜２０００ルクスの間の所望の照度値となるよう調節し照光し、低温環境下にて光補償点を維持させて苗を保存し貯蔵させることができる。
【００４２】
したがって、以上説明した植物苗保存棚１によると、照光部５は、四角状の苗箱３と略同一の四角平面形状をもって、同平面の一対向辺より内側にそれぞれ線状の光源６が配設され、その光源６の、後部に断面略Ｍ字状の反射板１０、前部には照光面の発光の輝度比を所定の割合値とする同心状パターンの遮光部１２をもつ透光カバー１１が設けられて面状に形成されるので、より簡単な構成にて安価にて照明装置４に照光部５を面状形成できる。
【００４３】
そして、上下の複数の棚板２，２間の下方に配設される平坦状の苗箱３が、その上方に設置された照明装置４に設けられる照度調節部１３にて、その面状の照光部５から同苗箱３の全面の苗の上部位置の照度が、５０〜２０００ルクスの間の所望の照度値となるよう調節し照光できるので、容易に多くの種類の苗の保存に適用させて低温環境下にて光補償点を維持させて貯蔵することができる。
【００４４】
なお、本発明は、植物苗保存棚の照明装置の構成は上記に示されたもの以外に、各種の実施の形態のものを含むことは言うまでもない。
【００４５】
【発明の効果】
本発明の植物苗保存棚は、上述の実施態様の如く実施されて、上下の複数の棚板間の下方に配設される平坦状の苗箱が、その上方に設置された照明装置の面状の照光部から、同苗箱の全面が略同一の照度となるよう照光されるので、苗貯蔵における空間の利用効率を向上させることができて、苗質を良好に維持させることが出来る。
【００４６】
そして、苗箱内全面の苗は、その上部から上方略１０ｃｍの位置に設置された照明装置の、発光のパターンをその中央部から周辺部にかけて同心状に高輝度とした面状の照光部から、その全面が略同一の照度となるよう照光されるので、狭い空間により多くの苗を保存することができる。
【００４７】
また、照光部は、四角状の苗箱と略同一の四角平面形状をもって、同平面の一対向辺にそれぞれ線状の光源が配設され、その光源間に照光面の発光の輝度比を所定の割合値とする同心状パターンの拡散反射部をもつ導光板が設けられて面状に形成されるので、より薄型に照明装置が構成されることによってより狭い空間に多くの苗を保存させることができる。
【００４８】
また、照光部は、四角状の苗箱と略同一の四角平面形状をもって、同平面の一対向辺より内側にそれぞれ線状の光源が配設され、その光源の、後部に断面略Ｍ字状の反射板、前部には照光面の発光の輝度比を所定の割合値とする同心状パターンの遮光部をもつ透光カバーが設けられて面状に形成されるので、より簡単な構成にて安価にて照明装置に照光部を面状形成できる。
【００４９】
また、上下の複数の棚板間の下方に配設される平坦状の苗箱が、その上方に設置された照明装置の面状の照光部から、同苗箱の全面の苗の上部位置の照度が、５０〜２０００ルクスの間の所定の照度値となるよう照光されるので、より多くの種類の苗の保存に適用できて使い勝手は良好である。
【００５０】
また、上下の複数の棚板間の下方に配設される平坦状の苗箱が、その上方に設置された照明装置に設けられる照度調節部にて、その面状の照光部から同苗箱の全面の苗の上部位置の照度が、５０〜２０００ルクスの間の所望の照度値となるよう調節し照光できるので、容易に多くの種類の苗の保存に適用させて低温環境下にて光補償点を維持させて貯蔵することができる。
【００５１】
【図面の簡単な説明】
【図１】本発明の第１の実施の形態の植物苗保存棚を示す概略構成図である。
【図２】同植物苗保存棚の照明装置を示す図で、（ａ）は平面図、（ｂ）は側面断面図である。
【図３】同植物苗保存棚の照明装置の照光部の説明図である。
【図４】同植物苗保存棚の照明装置の比較説明のための従来例の照光部の説明図である。
【図５】第２の実施の形態の植物苗保存棚の照明装置を示す図で、（ａ）は平面図、（ｂ）は側面断面図である。
【図６】同植物苗保存棚の照明装置の照光部の説明図である。
【符号の説明】
１    植物苗保存棚
２    棚板
３    苗箱
３１  苗
４    照明装置
５    照光部
６    光源
７    導光板
８    拡散反射部
１０  反射板
１１  透光カバー
１２  遮光部
１３  照度調節部
【図１】
0003596362.tif 000002
【図２】
0003596362.tif 000003
【図３】
0003596362.tif 000004
【図４】
0003596362.tif 000005
【図５】
0003596362.tif 000006
【図６】
0003596362.tif 000007